(57)【要約】      （修正有）【課題】外部からのエネルギーは必要なし、経済的負担なし、環境問題なしで簡単に電力を得ることが出来るので経済的負担なし、エネルギー問題なし。夜，曇，雨の時でも簡単に電力を得ることが出来る。【解決手段】出力コイルを巻いた鉄心（１本）を中央に置きこの両端に極性切り替えコイルを巻いた鉄心（２本）を置いて直列にしたローター（１本）、電極間の所（電極台）を高くし、全体を円形にし、極性切り替え器の上部と下部の電極板と電極台の間の上にスイッチ、２コをつけた極性切り替え器ローター、１コ、モーター、極性切り替えコイルにくわえる電圧、実際に使える電圧を得るための出力トランスを使って回転抵抗をなくす。【選択図】なし【特許請求の範囲】
【請求項１】
出力コイル▲７▼と制御用コイル▲４▼（上下２コ）の一体形ローター▲２４▼
【請求項２】
電極台▲３０▼▲３０▼で全体を円型にしてある極性切り替え器ローター▲１２▼とその側面図−〔図２〕−〔１〕
【請求項３】
制御、モーター、実際に使用出来る電圧をとりだす出力トランス▲１８▼
【請求項４】
一体形ローター▲２４▼と磁石▲３▼▲３▼との間に回転抵抗がなくなる原理が働き発電が出来る事を示したソフト図−〔図３〕
【請求項５】
ローターが回転を始める時磁石と鉄心との間に大きな磁気抵抗が生じる。制御コイルに電気を流し磁気抵抗をなくす起動用スイッチＳＷ１▲２３▼〔図２〕−〔２〕
【請求項６】
一体形ローター▲２４▼と極性切り替え器ローター▲１２▼と出力トランス▲１８▼からなる３点の部品で１つのシステム（交流発電機）を構成している〔図１〕
【請求項７】
制御コイルを直列に接続する方法を〔１〕制御コイルを並列に接続する方法を〔２〕で示している〔図４〕
【発明の詳細な説明】
【０００１】
〔発明の属する技術分野〕
2004357490.tif 000002
の両端に極性切り替え用コイルを巻いた鉄心を取りつけた一体形ローター▲２４▼と電極台▲３０▼▲３０▼をつけた極性切り替え器ローターと出力トランス▲１８▼で構成された交流発電機である。
【０００２】
〔従来の技術〕
磁束の中にコイルを置き負荷をつないで動力で回転すると、起動力により抵抗が生じる。
【０００３】
〔発明が解決しようとする課題〕
磁石と鉄心との間で吸引による磁気抵抗と起動力が生じると大きな磁気抵抗となり、この２種類の抵抗は回転を阻害し回転をするのに大きなエネルギーが必要となります。
【０００４】
〔解決手段〕
回転抵抗がなくなる原理最初は磁石と制御用鉄心とが吸引しあうがＳＷ１▲２３▼スイッチを押す。ＳＷ２▲２９▼スイッチを押す。電気が供給され制御コイルと磁石との間で反発が生じる。ローターが回転を始めたらＳＷ１▲２３▼スイッチを元にもどす。その後、ローターの軸についている極性切り替え器で制御コイルに送られる極性が極性切り替え器で切り替えられる。磁石に近ずく時は吸引、発電、反発が生じる。離れる時は、生じた電気自体が反発の極性をもつため反発し、回転抵抗がなくなりローターの回転が軽くなる。
【０００５】
〔発明の実施の形態〕
出力コイルを巻いた鉄心の両端に制御コイルを巻いた
2004357490.tif 000003
コイル▲４▼と出力コイル▲７▼がついた回転ローター▲２４▼と出力をとり出す回転ドラムローター、極性を切り替える極性切り替え器が取りつけられている。ＳＷ１▲２３▼スイッチを押し、ＳＷ２▲２９▼スイッチを押す。駆動用充電バッテリー▲２０▼に蓄電されている電気でモーターを回転、一体形ローターが回転する。ＳＷ１▲２３▼スイッチを元にもどす。磁極性鉄心は回転する
2004357490.tif 000004
がなくなり回転が楽に出来る。電力が出力する。出力側が出力トランスにつながっているから出力トランスから出力の一部をモーターの回転用と極性切り替え用電圧に使用、残りが使用出来る電力
【０００６】
〔実施例〕
以下添付図面に従って実施例を説明する
ＳＷ１▲２３▼スイッチを押し、ＳＷ２▲２９▼スイッチを押す。リチャージブルバッテリーに蓄電されていた電気が流れモーターと制御コイルに電圧がかかる。回転抵抗がなくなり回転が始まる。
ＳＷ１▲２３▼スイッチを元にもどす。磁石の位置にローターが来ると磁石と制御コイルとの間にＯＮ，ＯＦＦの磁気回路が出来る。ＯＮとＯＮの間はＯＦＦなので▲３０▼▲３０▼電極台が電極棒に接触している間にローターが磁石の正面を通過し磁束の変化が起電力を出力コイルに生じる。その起電力が▲８▼▲８▼ドラムローターを通り電極棒を通り出力トランスに入り２次側で出力用電圧、モーターの駆動用電圧、制御用電圧がとりだされる。出力側に電球をつなげれば電球が点灯する。
〔発明の効果〕
発電機に外部からエネルギー（エンジンの回転、風力、水力エネルギー等を）なしで発電機自体が自力回転出来る。電力が得られる。
【図面の簡単な説明】
【図１】発電機の構成を示した図面である発電機内部（モーター、制御コイル用）に供給する電源
【図２】極性切り替え器に取り付ける電極台▲３０▼と電極板▲２２▼の図〔１〕極性切り替え器の上下に取り付けてある起動用スイッチＳＷ１▲２３▼と極性切り替え器ローター▲１２▼の断面図−図〔２〕
【図３】回転抵抗がなくなる原理図
【図４】制御コイルを直列〔１〕又は並列〔２〕で接続する方法を示している。
【符号の説明】
▲１▼  出力端子につなぐ電球
▲２▼  ベルト
▲３▼  磁石（＋）（−）
▲４▼  極性切り替え用コイル
▲５▼  極性切り替え用鉄心
▲６▼  出力用鉄心
▲７▼  出力用コイル
▲８▼  出力電極ローター
▲９▼  回転調節つまみ（ＳＰ）
▲１０▼  出力電極棒
▲１１▼  整流用ダイオード
▲１２▼  極性切り替え器ローター
▲１３▼  極性切り替え器ローター用横向き又はたて向き電極棒
▲１４▼  シャフト▲２１▼を通す穴
▲１５▼  軸受け台
▲１６▼  ＳＷ１の電極板
▲１７▼  回転用モーター
▲１８▼  出力トランス
▲１９▼  ＳＷ１の取り付け台
▲２０▼  リチャージブルバッテリー
▲２１▼  シャフト
▲２２▼  電極板
▲２３▼  ＳＷ１起動用スイッチ（２コ）
▲２４▼  一体型ローター（▲５▼＋▲６▼）
▲２５▼  プーリー
▲２６▼  （＋）磁石と（−）磁石をつなぐ鉄板
▲２７▼  バネ
▲２８▼  出力用電極板
▲２９▼  ＳＷ２スイッチ（起動用スイッチ）
▲３０▼  高さ調整電極台（電極間を高くして全体を円にして電極棒と電極板との高さをとる電極台と起動時の電極）
【図１】
2004357490.tif 000005
【図２】
2004357490.tif 000006
【図３】
2004357490.tif 000007
【図４】
2004357490.tif 000008
【手続補正書】
【提出日】平成15年7月30日(2003.7.30)
【手続補正１】
【補正対象書類名】図面
【補正対象項目名】図３
【補正方法】変更
【補正の内容】
【図３】
2004357490.tif 000009
【手続補正書】
【提出日】平成16年5月24日(2004.5.24)
【手続補正１】
【補正対象書類名】明細書
【補正対象項目名】特許請求の範囲
【補正方法】変更
【補正の内容】
【特許請求の範囲】
【請求項１】
軸受を介して回転自在にされたシャフトに固着されたコ
イルを巻いた鉄心（ロータコア）と出力電極ドラム（スリップリング）２コとロータコア
の両側に置かれた（＋）磁石と（−）磁石および出力電極棒（ブラシ）２本からなる交流
発電機において、コイルを巻いた制御用鉄心をコイルを巻いた出力用鉄心（ロータコア）
の両端に１本づつ固着され３分割一体型平板鉄心又は、非３分割一体型平板鉄心（ロータ
コア）を構成する。ロータコアと極性切り替え器（整流子）と制御用コイルと回転用モー
ターに電圧を加える出力トランスからなる電源回路と出力電極ドラムと起動用スイッチＳ
Ｗ１−２コとＳＷ２−１コとプリーがついた回転用モーターと（＋）磁石と（−）磁石か
らなり、出力コイル、制御コイルを回転させるのを特徴とする自己回転交流発電機である
。又軸受を介して回転自在にされたシャフトに極性切り替え器（整流子）と（＋）磁石と
（−）磁石を固着し、起動用スイッチＳＷ１−２コとＳＷ２−１コと電極棒４本と固定さ
れた３分割一体型平板鉄心、又は非３分割一体型平板鉄心と出力トランスからなる電源回
路とプリーがついた回転用モーターからなり、前記自己回転交流発電機とは逆に、磁石を
回転させたのを特徴とする自己回転交流発電機である。
【請求項２】
３分割一体型ロータコア又は、非３分割一体型ロータコアで（＋）磁石と、
（−）磁石と一体型ロータコアとの間に回転時、磁気抵抗がなくなり同時に出力コイルに
生じる起電力の立ち上りを遅らせる原理が働き、外部から大きな力を与えなくても小さな
力で回転し発電が出来る事を示したソフト図−図３を原理とするのを特徴とする
【請求項３】
極性切り替え器（整流子）の上下に起動用スイッチＳＷ１２コをつけ、起動
時の電極台、２枚を整流子の上下につけた。磁石を回転させる方についている極性切り替
え器（整流子）の上下ついている電極板を両面いっぱいにのばし、両側に電極棒（ブラシ
）２本をとりつけ、計４本にした。磁石を固定した発電機に取りつける場合は極性切り替
え器の両側にある電極板に極性切り替えコイルのリード線を取りつけるのを特徴とする。
【手続補正２】
【補正対象書類名】明細書
【補正対象項目名】図面の簡単な説明
【補正方法】変更
【補正の内容】
【図面の簡単な説明】
【図１−１】磁石を側を固定した発電機の構成を示した図面。発電機内部（回転用モータ
ー、制御用コイル）に供給する電源。
【図１−２】コイル側を固定した発電機の構成を示した図面。発電機内部（回転用モータ
ー、制御用コイル）に供給する電源。
【図２】極性切り替え器に取り付ける電極台３０と電極板２２。極性切り替え器の上下に
取りつけてある起動用スイッチＳＷ１２３と極性切り替え器１２の断面図。
【図３】回転磁気抵抗がなくなる原理図発電時は、起電力の立ち上りを遅くする原理図
【図４】３分割一体型平板鉄心［１］又は非３分割一体型平板鉄心［２］でロータコアの
構成を示す。
【図５】交流発電機の原型


【手続補正３】
【補正対象書類名】図面
【補正対象項目名】全図
【補正方法】変更
【補正の内容】
【図１−１】
2004357490.tif 000010
【図１−２】
2004357490.tif 000011
【図２】
2004357490.tif 000012
【図３】
2004357490.tif 000013
【図４】
2004357490.tif 000014
【図５】
2004357490.tif 000015